(57)【要約】【課題】容易に取外すことができるが、人の手を介さずに外れることはなく、また、容易に据え付けることができるスタンド椅子の提供。【解決手段】座部（図示せず）と、座部を支持する１本の支柱２と、床に固定され支柱２を支持する台座部４とを備え、台座部４は、支柱２の下端部を内部に嵌合する筒部３を有するスタンド椅子。支柱２の下端部が筒部３に嵌合された状態で、支柱２の回動を禁止する手段７，１０と、支柱２の下端部が筒部３に嵌合された状態で、支柱２の下端部の筒部３からの抜脱を防止する手段７，８，９とを備える構成である。【選択図】図２
2008029613.tif 000002
【特許請求の範囲】
【請求項１】
座部と、該座部を支持する１本の支柱と、床に固定され前記支柱を支持する台座部とを備え、該台座部は、前記支柱の下端部を内部に嵌合する筒部を有するスタンド椅子において、
前記支柱の下端部が前記筒部に嵌合された状態で、該支柱の回動を禁止する手段と、前記状態で、前記下端部の前記筒部からの抜脱を防止する手段とを備えることを特徴とするスタンド椅子。
【請求項２】
座部と、該座部を支持する１本の支柱と、床に固定され前記支柱を支持する台座部とを備え、該台座部は、前記支柱の下端部を内部に嵌合する円筒部を有するスタンド椅子において、
前記円筒部の上端部に開口された切込部と、前記円筒部の該切込部の外周面側に一辺が架け渡されるＬ字形状のピンと、前記円筒部の外周面に固定され、前記ピンの一辺が外周面側に架け渡された状態で、該ピンを着脱自在に保持する保持部と、前記支柱の下端部が前記円筒部に嵌合された状態で、前記切込部に遊嵌され前記ピンに掛止されるように、前記支柱の周面に突設された掛止部とを備え、前記支柱の下端部を前記円筒部に嵌合した後に、前記ピンの一辺を前記外周面側に架け渡すように構成してあることを特徴とするスタンド椅子。
【請求項３】
前記掛止部は、前記ピンが挿通する孔を有し、前記保持部は、前記ピンが前記孔の前後で挿通する１対の孔を有しており、前記ピンが前記保持部の１対の孔を挿通して保持され、前記ピンの他辺が垂下した状態で、該他辺に接して前記一辺の抜脱方向への移動を止める抜脱防止部が、前記円筒部の外周面に突設されている請求項２記載のスタンド椅子。
【請求項４】
座部と、該座部を支持する１本の支柱と、床に固定され前記支柱を支持する台座部とを備え、該台座部は、前記支柱の下端部を内部に嵌合する円筒部を有するスタンド椅子において、
前記円筒部の上端部に開口された切込部と、前記支柱の下端部が前記円筒部に嵌合された状態で、前記切込部に遊嵌されるように、前記支柱の周面に突設された突起部と、前記切込部に遊嵌された該突起部を掛止する爪が先端に設けられた竿状部材と、前記円筒部の外周面に突設され、該竿状部材を前記爪が突起部に離接する方向に回動自在に支持する支持部と、前記爪を前記突起部に近接する方向に付勢する付勢部とを備えることを特徴とするスタンド椅子。
【請求項５】
座部と、該座部を支持する１本の中空形状の支柱と、床に固定され前記支柱を支持する台座部とを備え、該台座部は、前記支柱の下端部を内部に嵌合する円筒部を有するスタンド椅子において、
前記支柱の下端部が前記円筒部に嵌合された状態で、前記支柱及び円筒部を径方向に貫通するように穿設された各１対の孔と、前記円筒部の一方の該孔の外周面側開口部に設けられたナットと、前記支柱の下端部が前記円筒部に嵌合された状態で、前記各１対の孔を貫通し、前記ナットに螺合するボルトとを備えることを特徴とするスタンド椅子。
【発明の詳細な説明】
【技術分野】
【０００１】
本発明は、人が座る座部と、座部を支持する１本の支柱と、床に固定され支柱を支持する台座部とを備え、台座部が、支柱の下端部を内部に嵌合する筒部を有しているスタンド椅子の改良に関するものである。
【背景技術】
【０００２】
遊技場等で使用されるスタンド椅子は、図１に示すように、クッションが張られ、人が座る為の座部１と、座部１を支持する１本の鋼鉄製の支柱２と、床にボルト５で固定され支柱２を支持する鋼鉄製の台座部４とを備えている。台座部４は、支柱２の下端部を内部に嵌合する円筒部３を備えており、従来は、例えば、支柱２の下端部の周面、及び円筒部３の内周面がテーパ形状に形成され、それらの周面及び内周面が嵌合することにより、支柱２が台座部４に固定されていた。
【０００３】
特許文献１には、足掛が、がたついたり回転してずり落ちたりすることなく、脚部の定位置に保持されるスタンド椅子が提案されている。
【特許文献１】登録実用新案第３００２７６５号公報
【発明の開示】
【発明が解決しようとする課題】
【０００４】
従来のスタンド椅子では、上述したように、支柱２の下端部及び円筒部３の内周面の各テーパ形状部が嵌合しているので、使用されるうちに嵌合部が噛み込んで行き、容易に取外すことができなくなっていた。その為、スタンド椅子を取外す必要があるとき、例えば、車椅子の人がそのパチンコ台で遊ぶとき等は、ハンマーを使用したりして、取外すのに手間が掛かるという問題がある。
【０００５】
本発明は、上述したような事情に鑑みてなされたものであり、容易に取外すことができるが、人の手を介さずに外れることはなく、また、容易に据え付けることができるスタンド椅子を提供することを目的とする。
【課題を解決するための手段】
【０００６】
第１発明に係るスタンド椅子は、座部と、該座部を支持する１本の支柱と、床に固定され前記支柱を支持する台座部とを備え、該台座部は、前記支柱の下端部を内部に嵌合する筒部を有するスタンド椅子において、前記支柱の下端部が前記筒部に嵌合された状態で、該支柱の回動を禁止する手段と、前記状態で、前記下端部の前記筒部からの抜脱を防止する手段とを備えることを特徴とする。
【０００７】
このスタンド椅子では、１本の支柱が座部を支持し、台座部が床に固定され支柱を支持し、台座部は、筒部が支柱の下端部を内部に嵌合する。支柱の下端部が筒部に嵌合された状態で、禁止する手段が、支柱の回動を禁止し、支柱の下端部が筒部に嵌合された状態で、防止する手段が、支柱の下端部の筒部からの抜脱を防止する。
【０００８】
第２発明に係るスタンド椅子は、座部と、該座部を支持する１本の支柱と、床に固定され前記支柱を支持する台座部とを備え、該台座部は、前記支柱の下端部を内部に嵌合する円筒部を有するスタンド椅子において、前記円筒部の上端部に開口された切込部と、前記円筒部の該切込部の外周面側に一辺が架け渡されるＬ字形状のピンと、前記円筒部の外周面に固定され、前記ピンの一辺が外周面側に架け渡された状態で、該ピンを着脱自在に保持する保持部と、前記支柱の下端部が前記円筒部に嵌合された状態で、前記切込部に遊嵌され前記ピンに掛止されるように、前記支柱の周面に突設された掛止部とを備え、前記支柱の下端部を前記円筒部に嵌合した後に、前記ピンの一辺を前記外周面側に架け渡すように構成してあることを特徴とする。
【０００９】
このスタンド椅子では、１本の支柱が座部を支持し、床に固定された台座部は、円筒部が支柱の下端部を内部に嵌合して、支柱を支持する。円筒部の上端部に切込部が開口され、円筒部の切込部の外周面側にＬ字形状のピンの一辺が架け渡される。保持部が、円筒部の外周面に固定され、ピンの一辺が外周面側に架け渡された状態で、ピンを着脱自在に保持する。支柱の下端部が円筒部に嵌合された状態で、掛止部が、切込部に遊嵌されピンに掛止されるように、支柱の周面に突設されており、支柱の下端部を円筒部に嵌合した後に、ピンの一辺を切込部の外周面側に架け渡す。
【００１０】
第３発明に係るスタンド椅子は、前記掛止部は、前記ピンが挿通する孔を有し、前記保持部は、前記ピンが前記孔の前後で挿通する１対の孔を有しており、前記ピンが前記保持部の１対の孔を挿通して保持され、前記ピンの他辺が垂下した状態で、該他辺に接して前記一辺の抜脱方向への移動を止める抜脱防止部が、前記円筒部の外周面に突設されていることを特徴とする。
【００１１】
このスタンド椅子は、掛止部の孔を挿通するピンが、掛止部の孔の前後で保持部の１対の孔を挿通する。ピンが保持部の１対の孔を挿通して保持され、ピンの他辺が垂下した状態で、抜脱防止部が、その他辺に接して一辺の抜脱方向への移動を止める。抜脱防止部は、円筒部の外周面に突設されている。
【００１２】
第４発明に係るスタンド椅子は、座部と、該座部を支持する１本の支柱と、床に固定され前記支柱を支持する台座部とを備え、該台座部は、前記支柱の下端部を内部に嵌合する円筒部を有するスタンド椅子において、前記円筒部の上端部に開口された切込部と、前記支柱の下端部が前記円筒部に嵌合された状態で、前記切込部に遊嵌されるように、前記支柱の周面に突設された突起部と、前記切込部に遊嵌された該突起部を掛止する爪が先端に設けられた竿状部材と、前記円筒部の外周面に突設され、該竿状部材を前記爪が突起部に離接する方向に回動自在に支持する支持部と、前記爪を前記突起部に近接する方向に付勢する付勢部とを備えることを特徴とする。
【００１３】
このスタンド椅子では、１本の支柱が座部を支持し、床に固定された台座部は、円筒部が支柱の下端部を内部に嵌合して、支柱を支持する。円筒部の上端部に切込部が開口され、支柱の下端部が円筒部に嵌合された状態で、切込部に遊嵌されるように、突起部が支柱の周面に突設されている。切込部に遊嵌された突起部を掛止する爪が竿状部材の先端に設けられ、円筒部の外周面に突設された支持部が、竿状部材を爪が突起部に離接する方向に回動自在に支持している。また、付勢部が、爪を突起部に近接する方向に付勢している。
【００１４】
第５発明に係るスタンド椅子は、座部と、該座部を支持する１本の中空形状の支柱と、床に固定され前記支柱を支持する台座部とを備え、該台座部は、前記支柱の下端部を内部に嵌合する円筒部を有するスタンド椅子において、前記支柱の下端部が前記円筒部に嵌合された状態で、前記支柱及び円筒部を径方向に貫通するように穿設された各１対の孔と、前記円筒部の一方の該孔の外周面側開口部に設けられたナットと、前記支柱の下端部が前記円筒部に嵌合された状態で、前記各１対の孔を貫通し、前記ナットに螺合するボルトとを備えることを特徴とする。
【００１５】
このスタンド椅子では、１本の中空形状の支柱が座部を支持し、床に固定された台座部は、円筒部が支柱の下端部を内部に嵌合して、支柱を支持する。支柱の下端部が円筒部に嵌合された状態で、支柱及び円筒部を径方向に貫通するように、各１対の孔が穿設され、ナットが、円筒部の一方の孔の外周面側開口部に設けられている。支柱の下端部が円筒部に嵌合された状態で、ボルトが、支柱及び円筒部の各１対の孔を貫通し、ナットに螺合する。
【発明の効果】
【００１６】
第１乃至第５発明に係るスタンド椅子によれば、容易に取外すことができるが、人の手を介さずに外れることはなく、また、容易に据え付けることができるスタンド椅子を実現することができる。
【発明を実施するための最良の形態】
【００１７】
以下に、本発明を、その実施の形態を示す図面を参照しながら説明する。
（実施の形態１）
図１は、本発明に係るスタンド椅子の実施の形態１の概略構成を示す斜視図である。
このスタンド椅子は、クッションが張られ、人が座る為の座部１と、座部１を支持する１本の鋼鉄製の支柱２と、床にボルト５で固定され支柱２を支持する鋼鉄製の台座部４とを備えており、台座部４は、円筒部３が支柱２の下端部を内部に嵌合することにより、支柱２を支持している。
【００１８】
図２は、台座部４の円筒部３が支柱２を固定する機構を示す（ａ）平面図及び（ｂ）正面図であり、図３は、その側面図である。
この機構は、台座部４の床に接するフランジ部には、床に固定するボルト締めの為の孔６が５個設けられ、フランジ部の中央に円筒部３が突設されている。円筒部３の上端部に切込部１０が開口され、円筒部３の切込部１０の外周面側に、Ｌ字形状のピン９の一辺が架け渡されている。円筒部３の外周面には、ピン９の一辺が外周面側に架け渡された状態で、ピン９を着脱自在に保持する保持部８が固設されている。
【００１９】
支柱２の周面には掛止部７が突設され、掛止部７は、支柱２の下端部が円筒部３に嵌合された状態で、切込部１０に遊嵌されると共に、ピン９に掛止される。掛止部７には、ピン９に掛止される為に、ピン１０が挿通する孔７ａが穿設されており、保持部８には、ピン９が掛止部７の孔７ａの前後で挿通する１対の孔８ａ，８ａが穿設されている。
円筒部３の外周面には抜脱防止部１１が突設されている。抜脱防止部１１は、ピン９の一辺が掛止部７の孔７ａ及び保持部８の１対の孔８ａ，８ａを挿通して保持され、ピン９の他辺が垂下した状態で、その他辺に接して、ピン９が抜脱方向へ移動するのを止めるように設けられている。
【００２０】
このような構成の、台座部４の円筒部３が支柱２を固定する機構では、スタンド椅子を据え付ける場合は、掛止部７を切込部１０に遊嵌させながら、支柱２の下端部を円筒部３に嵌合させる。掛止部７を切込部１０に遊嵌させることにより、支柱２が回動することを防止できる。
次に、ピン９の一辺全体を掛止部７の孔７ａ及び保持部８の１対の孔８ａ，８ａに挿通させ、その状態で、ピン９の他辺を垂下させる。これにより、支柱２が円筒部３から抜けるのを防止することができると共に、ピン９の他辺が抜脱防止部１１に当接して、ピン９が保持部８から抜けるのを防止することができる。
【００２１】
スタンド椅子を取外す場合は、垂下しているピン９の他辺を上方に向けて抜脱防止部１１から外し、この状態で、ピン９を掛止部７の孔７ａ及び保持部８の１対の孔８ａ，８ａから抜取る。次いで、支柱２の下端部を円筒部３から抜くことにより、容易に簡単にスタンド椅子を取外すことができる。
尚、本実施の形態１では、掛止部７に孔７ａを設けているが、ピン９により掛止される構造であれば、孔以外のものを設けても良い。
【００２２】
（実施の形態２）
図４は、本発明に係るスタンド椅子の実施の形態２の台座部の円筒部が支柱を固定する機構を示す（ａ）（ｂ）斜視図及び（ｃ）部分側面図である。本実施の形態２のスタンド椅子の概略構成は、図１の斜視図で説明した概略構成と同様であるので、説明を省略する。
この機構は、台座部４の床に接するフランジ部には、床に固定するボルト締めの為の孔６が５個設けられ、フランジ部の中央に円筒部３が突設されている。円筒部３の上端部に切込部２５が開口され、支柱２の周面に突起部２０が突設されている。突起部２０は、支柱２の下端部が円筒部３に嵌合された状態で、切込部２５に遊嵌されるように設けられている。
【００２３】
円筒部３の外周面に突設された支持部２２が、竿状部材２１を支持し、竿状部材２１の一方の先端には、切込部２５に遊嵌された突起部２０の上端部を掛止する爪２４が設けられている。支持部２２は、竿状部材２１を爪２４が突起部２０の上端部に離接する方向に回動自在に支持している。竿状部材２１の他方の先端付近には、円筒部３の外周面に一端が着設され、爪２４を突起部２０に近接するＢ方向に付勢するバネ（付勢部）２３の他端が着設されている。
【００２４】
このような構成の、台座部４の円筒部３が支柱２を固定する機構では、スタンド椅子を据え付ける場合は、竿状部材２１の他方の先端付近を、爪２４を突起部２０から離隔するＡ方向に手で押圧しながら、また、突起部２０を切込部２５に遊嵌させながら、支柱２の下端部を円筒部３に嵌合させる。次いで、竿状部材２１から手を離す。突起部２０を切込部２５に遊嵌させることにより、支柱２が回動することを防止できる。
竿状部材２１から手を離すと、バネ２３の付勢力により爪２４が突起部２０の上方の支柱２の周面に当接し、この状態で、図５に示すように、爪２４が突起部２０の上端部にも当接する。これにより、支柱２が円筒部３から抜けるのを防止することができる。
【００２５】
スタンド椅子を取外す場合は、竿状部材２１の他方の先端付近を、爪２４を突起部２０から離隔するＡ方向に手で押圧しながら、支柱２の下端部を円筒部３から抜くことにより、容易に簡単にスタンド椅子を取外すことができる。
尚、爪２４の上部の傾斜を、下降する支柱２の下端部が滑るように急角度に取り、バネ２３の強度を調節することにより、スタンド椅子を据え付ける場合の、竿状部材２１を手で押圧する手間は省くことが可能である。
【００２６】
（実施の形態３）
図６は、本発明に係るスタンド椅子の実施の形態３の台座部の円筒部が支柱を固定する機構を示す分解斜視図である。本実施の形態３のスタンド椅子の概略構成は、図１の斜視図で説明した概略構成と同様であるので、説明を省略する。
この機構は、台座部４の床に接するフランジ部には、床に固定するボルト締めの為の孔６が５個設けられ、フランジ部の中央に円筒部３が突設されている。
【００２７】
支柱２及び円筒部３には、支柱２の下端部が円筒部３に嵌合された状態で、径方向に貫通するように、各１対の孔３１，３１，３２，３２が穿設されている。穿設されている孔３１，３１，３２，３２の内、円筒部３の一方の孔３２の外周面側開口部には、孔３１，３１，３２，３２を貫通したボルト３４が螺合する為のナット３３が設けられている。
【００２８】
このような構成の、台座部４の円筒部３が支柱２を固定する機構では、スタンド椅子を据え付ける場合は、円筒部３の孔３２，３２及び支柱２の孔３１，３１の位置を合わせながら、支柱２の下端部を円筒部３に嵌合させる。次いで、図７に示すように、ボルト３４を孔３２，３２，３１，３１に貫通させ、ナット３３にねじ込む。これにより、支柱２が回動すること、及び支柱２が円筒部３から抜けることを防止することができる。
スタンド椅子を取外す場合は、ボルト３４をナット３３から外して、孔３２，３２，３１，３１から抜取り、支柱２の下端部を円筒部３から抜くことにより、容易に簡単にスタンド椅子を取外すことができる。
【図面の簡単な説明】
【００２９】
【図１】本発明に係るスタンド椅子の実施の形態の概略構成を示す斜視図である。
【図２】台座部の円筒部が支柱を固定する機構を示す（ａ）平面図及び（ｂ）正面図である。
【図３】台座部の円筒部が支柱を固定する機構を示す側面図である。
【図４】本発明に係るスタンド椅子の実施の形態の台座部の円筒部が支柱を固定する機構を示す（ａ）（ｂ）斜視図及び（ｃ）部分側面図である。
【図５】本発明に係るスタンド椅子の実施の形態の台座部の円筒部が支柱を固定する状態を示す斜視図である。
【図６】本発明に係るスタンド椅子の実施の形態の台座部の円筒部が支柱を固定する機構を示す分解斜視図である。
【図７】本発明に係るスタンド椅子の実施の形態の台座部の円筒部が支柱を固定する状態を示す斜視図である。
【符号の説明】
【００３０】
１  座部
２  支柱
３  円筒部
４  台座部
５，３４  ボルト
６，７ａ，８ａ，３１，３２  孔
７  掛止部（禁止する手段、防止する手段）
８  保持部（防止する手段）
９  ピン（防止する手段）
１０，２５  切込部（禁止する手段）
１１  抜脱防止部
２０  突起部
２１  竿状部材
２２  支持部
２３  バネ（付勢部）
２４  爪
３３  ナット
【図１】
2008029613.tif 000003
【図２】
2008029613.tif 000004
【図３】
2008029613.tif 000005
【図４】
2008029613.tif 000006
【図５】
2008029613.tif 000007
【図６】
2008029613.tif 000008
【図７】
2008029613.tif 000009